(57)【特許請求の範囲】
【請求項１】
（Ａ）見守り対象者宅の各見守り区域に設けられ、人体の動きに感応する複数の人感センサと、
（Ｂ）上記人感センサの感応回数をカウントするカウント手段と、
（Ｃ）上記人感センサの出力に基づいて、上記見守り対象者が一の人感センサに対応する見守り区域から他の人感センサに対応する見守り区域に居場所を移動したか否かを判定する移動判定手段と、
（Ｄ）上記移動判定手段により上記居場所が一の見守り区域になったと判定されて以降、該一の見守り区域から他の見守り区域へ移動したとの判定がなされるまでの期間ごとに上記カウント手段のカウントデータを分け、かつ前記期間ごとに積算するデータ分割手段と、
を備えたことを特徴とする活動量把握装置。
【請求項２】
上記カウント手段のカウントデータを表示する表示手段を、さらに備えたことを特徴とする請求項１に記載の活動量把握装置。
【請求項３】
上記データ分割手段にて分けられたカウントデータを個別表示又は時系列に並べて一覧表示する表示手段を、さらに備えたことを特徴とする請求項１に記載の活動量把握装置。
【請求項４】
上記データ分割手段が、上記移動判定手段により移動したとの判定がなされるごとに上記カウント手段のカウントデータを読み取る読取手段と、読み取り後に上記カウント手段をリセットするリセット手段とを含むことを特徴とする請求項１に記載の活動量把握装置。
【発明の詳細な説明】
【０００１】
【発明の属する技術分野】
この発明は、独居高齢者等の見守り対象者の活動量を把握するための装置に関する。
【０００２】
【従来の技術】
来るべき高齢化社会に向けて、独居高齢者等の暮らしを見守り、介護を支援するシステムが注目されている。このシステムでは、見守り対象者の宅内での生活動作を人感センサなどでリアルタイムにセンシングし、異常の有無を判断する。生活動作情報の主体は、対象者の居場所ないしは移動先である。
【０００３】
【発明が解決しようとする課題】
しかし、居場所や移動先がわかっても、見守り対象者の活動状況を判断するのに十分でない場合がある。例えば、居間で長時間、手仕事をしていた場合と倒れていた場合とでは、どちらも居間に居るという情報しか得られず、両者を判別するのが困難である。
【０００４】
【課題を解決するための手段】
上記課題を解決するために、本発明に係る活動量把握装置は、複数の人感センサと、カウント手段と、データ処理手段と、表示手段とを備えている。人感センサは、見守り対象者宅の各見守り区域に設けられ、人体の動きに感応する。カウント手段は、上記人感センサの感応回数をカウントする。データ処理手段は、上記カウント手段によるカウントデータを上記見守り対象者の活動量の把握に資するように処理する。
【０００５】
ここで、上記データ処理手段は、望ましくは、上記カウントデータを表示する表示手段を含む。より望ましくは、上記カウント手段のカウントデータを或る期間分ごとに分けるデータ分割手段と、分けられたカウントデータを個別に表示したり時系列に並べて一覧表示したりする表示手段とを含む。データ分割手段は、上記カウント手段のカウントデータを或る期間ごとに読み取る読取手段と、読み取り後にカウント手段をリセットするリセット手段と、読み取ったカウントデータを表示手段に送る送信手段とを有しているのが望ましい。「或る期間」とは、一定の時間（例えば１時間や１日）でもよく、見守り対象者が一の見守り区域に継続して居た期間（データ処理手段によってそのように判定された期間）などであってもよい。
【０００６】
上記データ処理手段は、さらに望ましくは、上記人感センサの出力に基づいて上記見守り対象者が一の見守り区域から他の見守り区域に居場所を移動したか否かを判定する移動判定手段と、この移動判定手段により移動したとの判定がなされるごとに上記カウント手段のカウントデータを読み取る読取手段と、読み取り後に上記カウント手段をリセットするリセット手段と、上記読み取ったカウントデータを個別に表示したり時系列に並べて一覧表示したりする表示手段とを含む。
【０００７】
【発明の実施の形態】
以下、本発明の一実施形態を、図面を参照して説明する。
図１は、独居高齢者などを対象者Ａとする生活見守りシステム１（活動量把握装置）を示したものである。見守りシステム１は、対象者宅９０の宅内見守り装置１０と、管理センタのサーバコンピュータ２０（表示手段）と、上記対象者の家族や介護センタなどのパーソナルコンピュータ３０や携帯電話３１などのクライアント端末（表示手段）とを備えている。
【０００８】
宅内見守り装置１０は、コントロール装置１１と、複数の人感センサ１２（人体検出手段）とを備えている。これら機器１１，１２は、宅９０の電灯線９９を介して互いに接続されている。
【０００９】
図２に示すように、人感センサ１２は、対象者宅９０の互いに異なる場所９１〜９６（見守り区域）に配されている。以下、どの場所９１〜９６の人感センサ１２かを区別するときは、符号１２に英字Ａ〜Ｆを付けて表記するものとする。すなわち、トイレ９１には人感センサ１２Ａが配され、廊下９２には人感センサ１２Ｂが配され、居間９３には人感センサ１２Ｃが配され、寝室９４には人感センサ１２Ｄが配され、玄関９５には人感センサ１２Ｅが配され、洗面所９６には人感センサ１２Ｆが配されている。
【００１０】
図３に示すように、各人感センサ１２は、センサ部１２ａと、このセンサ部１２ａに信号変換部１２ｂを介して接続された処理部１２ｄと、この処理部１２ｄに接続されたＲＯＭ１２ｆ（不揮発性メモリ）及び通信部１２ｅと、通信部１２ｅに接続されたプラグ１２ｇとを有している。このプラグ１２ｇが、電灯線９９のコンセント９９ａに接続されている。
【００１１】
センサ部１２ａは、人体の動きに感応する焦電型赤外線検出器などで構成されている。このセンサ部１２ａの感応信号すなわち人体の動きの検出信号が、信号変換部でデジタル変換されて処理部１２ｄへ送られるようになっている。
【００１２】
図４（ａ）〜（ｃ）に例示するように、ＲＯＭ１２ｆには、ハウスコードｈ（対象者宅識別番号）やセンサコードｘ（センサ識別番号）を登録する設定テーブルが設けられている。ハウスコードｈは、個々の対象者宅９０を識別するためのものであり、各宅の見守り装置１０に一つずつ割り当てられている。すなわち、１つの宅９０内の人感センサ１２は、全て同じハウスコードｈになっている。
【００１３】
センサコードｘは、宅９０内における個々の人感センサ１２を識別するためのものである。すなわち、各人感センサ１２には、他と異なる固有のセンサコードｘが割り当てられている。以下、どの人感センサ１２のセンサコードｘかを区別するときは、センサコードの符号ｘに、その人感センサの個別符号１２Ａ〜１２Ｆを下添字で付けて表記するものとする。すなわち、トイレ人感センサ１２Ａのセンサコードはｘ12Aであり、廊下人感センサ１２Ｂのセンサコードはｘ12Bであり、居間人感センサ１２Ｃのセンサコードはｘ12Cであり、寝室人感センサ１２Ｄのセンサコードはｘ12Dであり、玄関人感センサ１２Ｅのセンサコードはｘ12Eであり、洗面所人感センサ１２Ｆのセンサコードはｘ12Fである。
【００１４】
なお、図４では、トイレ９１と廊下９２と居間９３の人感センサ１２Ａ〜１２Ｃの設定テーブルしか示していないが、他の場所９４〜９６の人感センサ１２Ｄ〜１２Ｆの設定デーブルも同様になっている。なお、この実施形態では、宅９０内の各所９１〜９６に人感センサ１２がそれぞれ１つずつ設けられているので、上記のセンサコードｘは、各所９１〜９６を識別するコードにもなる。
【００１５】
人感センサ１２の処理部１２ｄは、センサ部１２ａが感応した旨の情報に上記ハウスコードｈとセンサコードｘを添付し、通信部１２ｅに送るようになっている。通信部１２ｅは、これを信号変換したうえで電灯線９９に流すようになっている。
【００１６】
次に、コントロール装置１１について説明する。図３に示すように、コントロール装置１１は、処理部１１ａを有し、この処理部１１ａに、下り通信部１１ｂ、上り通信部１１ｃ（送信手段）、タイマ１１ｄ、ＲＡＭ１１ｅ（揮発性メモリ）、ＲＯＭ１１ｆ（不揮発性メモリ）などが接続されている。
【００１７】
図５（ａ）に示すように、ＲＡＭ１１ｅには、直前センサコードｘ0やヒットカウントｎ（カウントデータ）などが記憶されている。直前センサコードｘ0は、直前に感応があった人感センサ１２のセンサコードｘである。ヒットカウントｎは、対象者Ａが現在の居場所に移動したと判定されて以降、現在までの全ての人感センサ１２Ａ〜１２Ｆの感応回数を示すものである。これによって、ＲＡＭ１１ｅは、特許請求の範囲の「カウント手段」を構成している。
【００１８】
図５（ｂ）に示すように、ＲＯＭ１１ｆには、上記ハウスコードｈや後述する移動判定で用いる移動確定時間Ｔ（例えば３０秒）などを登録するための設定テーブルが設けられている。移動確定時間Ｔは、宅９０内で日常的に利用する場所のうち最も離れた２つの場所間を移動するのに要する時間（通常２０秒以下）に多少の余裕（１０秒程度）を加えることによって決定するのが望ましい。しかも、主な生活動作の中で最も所要時間が短いもの（例えば排尿）より長くならないようにするのが望ましい。排尿の場合、トイレ９１に入ってから出るまで短いと４０秒程度である。したがって、上記したように一般的にはＴ＝３０秒程度が望ましい。
【００１９】
図１及び図３に示すように、コントロール装置１１の下り通信部１１ｂには、プラグ１１ｇが延出され、このプラグ１１ｇが電灯線９９のコンセント９９ａに接続されている。また、上り通信部１１ｃが、ＩＳＤＮ網、ＩＰ網、アナログ電話網などの通信ネットワーク４０を介して上記サーバコンピュータ２０に接続されている。電灯線９９上の上記センサ情報は、通信部１１ｂによって取り込まれて信号変換され、処理部１１ａに送られる。処理部１１ａは、取り込んだ情報に基づいて後述する移動判定などを行い、結果を通信部１１ｃに送る。通信部１１ｃは、これを信号変換したうえで、通信ネットワーク４０を介してサーバコンピュータ２０に送信するようになっている。
【００２０】
サーバコンピュータ２０は、上記コントロール装置１１からの情報などを蓄積し管理する。このサーバコンピュータ２０が、ＷＡＮ、公衆電話網、携帯電話網、インターネットなど通信ネットワーク４１を介して上記クライアント端末３０，３１に接続されている。これによって、上記蓄積情報が、Ｗｅｂページ、電子メール、電話メッセージなどの形態でクライアント端末３０，３１に送信されるようになっている。
【００２１】
上記コントロール装置１１の処理部１１ａによる処理動作について図６〜図８のフローチャートにしたがって詳述する。
今、見守り対象者Ａが、例えば居間９３に入ったばかりであるものとする。そして、コントロール装置１１の処理部１１ａが、対象者Ａの居間９３への移動を確定判定したところであるものとする。ＲＡＭ１１ｅのヒットカウントｎは、上記居間９３への移動確定により初期化（ｎ＝０）されたところである（図８のステップ２１０、２１１参照）。また、ＲＡＭ１１ｅの直前センサコードｘ0は、居間人感センサ１２Ｃのセンサコードｘ12Cになっている。
【００２２】
図６に示すように、処理部１１ａは、対象者Ａの活動量把握のためのメインフローを実行する。すなわち、人感センサ１２の感応信号を受信したか否かを判断する（ステップ１００）。なお、判断対象は、居間９３に限らず宅９０内の全ての人感センサ１２Ａ〜１２Ｆである。
【００２３】
居間９３の見守り対象者Ａが体を動かすと、居間人感センサ１２Ｃが感応する。この感応信号が、電灯線９９を伝ってコントロール装置１１に届く。コントロール装置１１の処理部１１ａは、この感応信号に含まれるハウスコードｈがＲＯＭ１１ｆに登録したものと一致するか否かをチェックする。一致していたときは、ステップ１００で「感応有り（ｙｅｓ）」と判断する。なお、一致していないとき、すなわち、他の見守り対象者宅の信号が入って来たときは、「ｎｏ」と判断するとともに、感応信号を電灯線９９に送り出す。これによって、他の宅との混信を避けることができる。
【００２４】
処理部１１ａは、ステップ１００で「ｙｅｓ」と判断したとき、ＲＡＭ１１ｅのヒットカウントｎを１つカウントアップした値に上書きする（ステップ１０１）。また、処理部１１ａは、受信した感応信号に含まれるセンサコードｘを読み取る（ステップ１０２）。このセンサコードｘが、ＲＡＭ１１ｅの直前センサコードｘ0と同一か否かを判断する（ステップ１０３）。ここでは、両コードｘ，ｘ0共に居間人感センサ１２Ｃのセンサコードｘ12Cであるので、「ｙｅｓ」と判断される。これにより、メインフローの始めに戻ってステップ１００からやり直す。こうして、居間９３の見守り対象者Ａが動くたびに、居間人感センサ１２Ｃが感応し（ステップ１００）、ヒットカウントｎがカウントアップされていく（ステップ１０１）。これによって、見守り対象者Ａの居間９３での動作回数をカウントすることができる。ひいては、活動量の多寡を把握することができる。
【００２５】
その後、見守り対象者Ａがトイレ９１へ行くために居間９３から廊下９２に出たとする。すると、廊下人感センサ１２Ｂが感応する。処理部１１ａは、この感応信号を受信することによって、ステップ１００で「ｙｅｓ」と判断し、ヒットカウントｎをカウントアップするとともに（ステップ１０１）、受信信号のセンサコードｘを読み取り（ステップ１０２）、ＲＡＭ１１ｅの直前センサコードｘ0と照合する（ステップ１０３）。この場合、受信信号のセンサコードはｘ12Bであるのに対し、ＲＡＭ１１ｅの直前センサコードはｘ0＝ｘ12Cであるので、ステップ１０３で「ｎｏ」と判断される。これによって、移動判定フローへ移行する。
【００２６】
移動判定フローにおいて、処理部１１ａは、「移動判定手段」ないしは「データ分割手段」として機能する。詳述すると、図７に示すように、処理部１１ａは、先ずＲＡＭ１１ｅの直前センサコードｘ0を、それまでのセンサコードｘ12Cから先ほどのステップ１０２で読み取ったセンサコードｘ12Bに書き換える（ステップ２００）。また、タイマ１１ｄにより移動確定のための経過時間ｔの計測をスタートさせる（ステップ２０１）。
【００２７】
そして、人感センサ１２の感応信号を受信したか否かを判断する（ステップ２０２）。判断対象は、居間９３や廊下９２に限らず宅９０内の全ての人感センサ１２Ａ〜１２Ｆである。
【００２８】
この時、見守り対象者Ａが未だ廊下９２を移動中であるとする。すると、再び廊下人感センサ１２Ｂが感応する。これにより、処理部１１ａは、ステップ２０２で「ｙｅｓ」と判断する。そして、ＲＡＭ１１ｅのヒットカウントｎを上記メインフローから引き続いて１つカウントアップする（ステップ２０３）。また、受信信号のセンサコードｘを読み取り（ステップ２０４）、ＲＡＭ１１ｅの直前センサコードｘ0と照合する（ステップ２０５）。ここでは、両コードｘ，ｘ0共に廊下人感センサ１２のセンサコードｘ12Bであるので、「ｙｅｓ」と判断される。
【００２９】
これにより、ステップ２０７に進み、ＲＯＭ１１ｆに記憶された移動確定時間Ｔ（＝３０秒）を読み取る。そして、時間計測値ｔが、移動確定時間Ｔに達した（ｔ≧Ｔ）か否かを判断する。未だ（ｔ＜Ｔ）であれば、ステップ２０２に戻り、どれか１つの人感センサ１２の感応が有ったか否かを判断する。
【００３０】
この時、見守り対象者Ａがトイレ９１に着いて中に入ったものとする。すると、トイレ人感センサ１２Ａが感応する。これにより、処理部１１ａは、ステップ２０２で「ｙｅｓ」と判断する。そして、ＲＡＭ１１ｅのヒットカウントｎを１つカウントアップするとともに（ステップ２０３）、受信信号のセンサコードｘを読み取り（ステップ２０４）、ＲＡＭ１１ｅの直前センサコードｘ0と照合する（ステップ２０５）。この場合、受信信号のセンサコードはｘ12Aであるのに対し、ＲＡＭ１１ｅの直前センサコードはｘ0＝ｘ12Bであるので、ステップ２０５で「ｎｏ」と判断される。
【００３１】
これによって、処理部１１ａは、時間計測値ｔをリセットしたうえで（ステップ２０６）、ステップ２００へ戻り、ＲＡＭ１１ｅの直前センサコードｘ0を、それまでのセンサコードｘ12Bから先ほどのステップ２０４で読み取ったセンサコードｘ12Aに書き換える。そして、時間計測をやり直す（ステップ２０１）。
【００３２】
そして、ステップ２０２で人感センサ１２の感応の有無を調べる。この時、見守り対象者Ａがトイレ９１の中でじっとして動かなければ、「ｎｏ」と判断される。これにより、ステップ２０７にジャンプしてｔ≧Ｔになったか否かを判断し、否であれば再びステップ２０２に戻る。こうして、ステップ２０２とステップ２０７の判断が交互に繰り返される。
【００３３】
見守り対象者Ａがトイレ９１の中で動くと、トイレ人感センサ１２が再び感応する。これによって、処理部１１ａが、ステップ２０２で「ｙｅｓ」と判断して、ヒットカウントｎを１つカウントアップするとともに（ステップ２０３）、受信信号のセンサコードｘを読み取り（ステップ２０４）、ＲＡＭ１１ｅの直前センサコードｘ0と照合する（ステップ２０５）。ここでは、両コードｘ，ｘ0共にトイレ人感センサ１２Ａのセンサコードｘ12Aであるので、「ｙｅｓ」と判断される。これにより、ステップ２０７に進んで、ｔ≧Ｔか否かを判断する。
【００３４】
このように、見守り対象者Ａがトイレ９１に留まっている限り、ステップ２０２から直接、またはステップ２０３、２０４、２０５を経て、ステップ２０７へ進む動作が反復する。そして、見守り対象者Ａがトイレ９１内で動くたびにヒットカウントｎがカウントアップされていく（ステップ２０３）。
【００３５】
そうして、トイレ人感センサ１２Ａの初回感応時から移動確定時間Ｔ（３０秒）が経過した（ｔ≧Ｔになった）とき、ステップ２０７で「ｙｅｓ」と判断される。これにより、処理部１１ａは、図８のステップ２１０に進み、ここではじめて見守り対象者Ａが居場所を移したと確定し、この時点での直前センサコードｘ0をＲＡＭ１１ｅから読み取る。このコードｘ0によって見守り対象者Ａの移動先が特定される。すなわち、読み取ったコードｘ0の人感センサ１２の設置場所（見守り区域）が移動先として特定される。この場合の直前センサコードはｘ12Aであるので、移動先はトイレ９１と特定される。
【００３６】
併せて、処理部１１ａ（読取手段）は、ヒットカウントｎをも読み取る。このヒットカウントｎは、見守り対象者Ａが居間９３に移動したと確定した時からトイレ１２Ａに移動したと確定する時まで（主に居間９３に居た期間）の人感センサ１２の感応回数であり、見守り対象者Ａの主に居間９３での動作回数すなわち活動量を示すことになる。
【００３７】
処理部１１ａで読み取られたデータｘ0，ｎは、生活動作情報（移動先情報と移動前の場所での活動量情報）として、通信部１１ｃから上記サーバコンピュータ２０に送信される。人感センサ１２の感応情報を１つ１つサーバコンピュータ２０に送信するのではなく、最終的に確定した結果データだけを送信するものであるので、送信情報量を大幅に圧縮することができる。したがって、通信時間を極めて短くできるとともに、通信コストを極めて安価にすることができる。
【００３８】
送信後、処理部１１ａ（リセット手段）は、ＲＡＭ１１ｅのヒットカウントｎをリセットする（ステップ２１１）。また、時間計測値ｔをリセットして停止する（ステップ２１２）。そして、図６のメインフローへ戻り、次は、見守り対象者Ａの主にトイレ９１での動作回数のカウントを行うことになる。
【００３９】
なお、ステップ２１０での送信情報には、ＲＯＭ１１ｆから読み込んだハウスコードｈも添付されている。これにより、サーバコンピュータ２０は、信号の送り元となった装置１０、ひいてはどの対象者Ａの情報かを特定することができる。そして、サーバコンピュータ２０は、受信した情報をデータベース化して蓄積する。情報量が大幅に圧縮されているので、メモリを節約することができる。
【００４０】
また、要求に応じて、サーバコンピュータ２０は、蓄積した情報を図表化して自らの出力端末やクライアント端末３０，３１に出力する。図９は、出力画面４０の一例を示したものである。この画面４０は、主に管理センタのオペレータや介護センサの介護担当者が、対象者Ａの状況を詳細に検討するときに閲覧するものである。
【００４１】
画面４０には、時刻欄４１と移動先欄４２と積算値欄４３とが設けられている。時刻欄４１には、宅内見守り装置１０から生活動作情報を受信した時刻が時系列で羅列されている。移動先欄４２は、センサ欄４４とコード欄４５とに分かれている。センサ欄４４には、各時刻の移動先（その時刻以降の居場所）が、生活動作情報中のセンサコードｘ0から特定されて表示されている。コード欄４５は、移動先の場所に割り振られた場所コード（見守り区域コード）が表示されている。
【００４２】
そして、積算値欄４３には、各時刻の情報に含まれるヒットカウントｎの数値が一覧表示されている。この数値は、対象者Ａの各居場所での動作回数であり、活動量の指標となるものである。これによって、オペレータや介護担当者は、対象者Ａの生活行動をより詳しくより正確に知ることができる。例えば、居間や寝室に長時間留まっている場合に、そこで何か活動をしているのか、或いは倒れて動けないような状況なのかを容易に判別できる。そして、コントロール装置１１が別途行う異常判定で異常とされても、一定の活動量が有るときは、実際には異常ではないと推測でき、コントロール装置１１の異常判定を補うことができる。一方、活動量がほとんど無いときは、実際に異常が起きていると推測でき、的確な対処を講じることができる。
【００４３】
なお、図示は省略するが、対象者Ａの家族のクライアント端末３０，３１でも閲覧できる標準的な画面には、例えば横方向に２４時間分の時間軸が設定され、対象者Ａの時々刻々の居場所（生活パターン）が時系列で居場所ごとに色分けされて帯状に表示されることになる。この帯表示の上または下に添えるようにして、その居場所でのヒットカウントｎが、数値で直接表示されたり、カウント数の大小に応じて濃淡が変わるグレーなどの色で視覚的に認識可能に表示される。
【００４４】
本発明は、上記実施形態に限定されるものではなく、種々の改変が可能である。例えば、データ処理手段は、カウント手段のカウントデータを単に表示することにより見守り対象者の活動量の把握に資するものに限られず、カウントデータを用いて見守り対象者の異常の有無や活動能力の衰え度合いを判定したり、更には判定結果を報知したりすることにより見守り対象者の活動量の把握に資するものであってもよい。
表示手段が、或る期間分ごとに分けられたカウントデータを時系列で一覧表示するのに代えて、例えば閲覧者の要求に応じて、要求された期間のものだけを個別に表示してもよい。「或る期間」は、一の移動確定の判定がなされた後、次の移動確定の判定がなされるまでの間に限られず、１時間や１日などの一定の期間であってもよい。
【００４５】
【発明の効果】
以上説明したように、本発明によれば、カウントデータを見守り対象者の活動量の指標にすることによって、対象者の状態を詳しく正確に知ることができる。カウントデータを表示手段で表示することによって、活動量の把握を確実に行うことができる。
カウントデータをデータ分割手段で或る期間分ごとに分け、分けたデータごとに表示手段で表示することによって、活動量の把握をより容易に行うことができる。移動判定手段等を用いて、カウントデータを一の移動判定後、次の移動判定までの間の期間分ごとに分け、分けたデータごとに表示手段で表示することによって、活動量を各居場所ごとに把握でき、活動量把握のより一層の容易化を図ることができる。
【図面の簡単な説明】
【図１】本発明の一実施形態に係る生活見守りシステムの概略構成図である。
【図２】上記生活見守りシステムの人感センサの宅内での配置状態を示す平面図である。
【図３】上記生活見守りシステムのコントロール装置と人感センサの内部構成を示すブロック図である。
【図４】（ａ）トイレ人感センサのＲＯＭに格納された設定テーブルのデータ項目を例示した表である。
（ｂ）廊下人感センサのＲＯＭに格納された設定テーブルのデータ項目を例示した表である。
（ｃ）居間人感センサのＲＯＭに格納された設定テーブルのデータ項目を例示した表である。
【図５】（ａ）上記コントロール装置のＲＡＭに記憶されたデータ項目を例示した表である。
（ｂ）上記コントロール装置のＲＯＭに格納された設定テーブルのデータ項目を例示した表である。
【図６】上記コントロール装置の処理部による生活動作情報の把握のためのメインフローを示すフローチャートである。
【図７】上記コントロール装置の処理部による生活動作情報の把握のための移動判定フローを示すフローチャートである。
【図８】上記コントロール装置の処理部による生活動作情報の把握のための移動判定フローを示すフローチャートである。
【図９】サーバコンピュータまたはクライアント端末の表示画面の一例を示す図である。
【符号の説明】
１  生活見守りシステム（活動量把握装置）
１１  コントロール装置
１１ａ  処理部（データ処理手段、データ分割手段、移動判定手段、読取手段、リセット手段）
１１ｃ  上り通信部（送信手段）
１１ｅ  コントロール装置のＲＡＭ（カウント手段）
１２  人感センサ
２０  サーバコンピュータ（データ処理手段、表示手段）
３０，３１クライアント端末（データ処理手段、表示手段）
９０  見守り対象者宅
ｎ  ヒットカウント（カウントデータ）
【図１】
0003996757.tif 000002
【図２】
0003996757.tif 000003
【図３】
0003996757.tif 000004
【図４】
0003996757.tif 000005
【図５】
0003996757.tif 000006
【図６】
0003996757.tif 000007
【図７】
0003996757.tif 000008
【図８】
0003996757.tif 000009
【図９】
0003996757.tif 000010